(57)【要約】【課題】      浮きを収納するときにカバー体で浮きを傷付けることが防止され、カバー体が自由に移動してしまうことがない釣り用浮きケースを提供することである。【解決手段】  釣り用浮きケースＡは、蝶番２で見開き状に開閉できる一対のケース１、１を有し、ケース内には凹状の浮き収納部６ａが形成された中敷き６が敷設されている。ケース１、１内には、下面側に磁石が取り付けられた浮きＵのカバー体８が取り付けられ、中敷き６の裏側には金属製の棒材が設けられている。カバー体８をケース１、１内に収納して浮きを覆うように取り付けたとき、カバー体８の磁石とケース１、１内の鉄等の金属製の棒材が互いに吸着しすることでカバー体８が中敷き６の上方に吸着した状態に保持され、浮きＵの脱落が防止される。【選択図】        図３
2005333811.tif 000002
【特許請求の範囲】
【請求項１】
ケースの内部に、収納した浮きの脱落を防止するカバー体を設けると共に、該カバー体が浮きを覆ったときに着脱自在に保持される保持手段を有していることを特徴とする釣り用浮きケース。
【請求項２】
カバー体は、磁石で吸着されて保持されていることを特徴とする請求項１記載の釣り用浮きケース。
【請求項３】
釣り用浮きケースの内部に中敷きを設け、カバー体は磁石で前記中敷きに吸着することを特徴とする請求項２記載の釣り用浮きケース。
【請求項４】
カバー体は磁石でケースに吸着することを特徴とする請求項２記載の釣り用浮きケース。
【発明の詳細な説明】
【技術分野】
【０００１】
本発明は、釣り用の浮きを収納する釣り用浮きケースに関する。
【背景技術】
【０００２】
従来から釣り用の浮きを収納するために釣り用浮きケースが使用されている。
これらの釣り用浮きケースは、例えば、特許文献１の公報のように、ケース内に浮きを収納可能で、収納した浮きがケース内から脱落しないようにカバー体（浮きおさえ）を有している。
しかし、この釣り用浮きケースは、カバー体（浮きおさえ）をケースの長手方向にスライドさせて浮きを収納するため、カバー体をスライドさせるとき浮きを折ってしまう虞がある。
しかも、カバー体は自由に動いてしまうため釣り用浮きケースを開いたときに動いてしまって浮きを覆っていない場合があり、浮きを脱落させてしまう虞がある。
【特許文献１】特開平９−２３８５９７号公報
【発明の開示】
【発明が解決しようとする課題】
【０００３】
解決しようとする問題点は、カバー体（浮きおさえ）をケースの長手方向にスライドさせて浮きを収納する釣り用浮きケースは、カバー体をスライドさせるとき浮きを折ってしまう虞があることである。
また、カバー体は自由に動いてしまうため釣り用浮きケースを開いたときに動いてしまって浮きを覆っていない場合があり、浮きを脱落させてしまう虞があることである。
【０００４】
本発明の目的は前記欠点に鑑み、浮きを収納するときにカバー体で浮きを傷付けることが防止され、カバー体が自由に移動してしまうことがない釣り用浮きケースを提供することである。
【課題を解決するための手段】
【０００５】
本発明の請求項１は、ケースの内部に、収納した浮きの脱落を防止するカバー体を設けると共に、該カバー体が浮きを覆ったときに前記釣り用浮きケースに着脱自在に保持される保持手段を有していることを要旨とするものである。
本発明の請求項２は、カバー体は、磁石で吸着されて保持されていることを要旨とするものである。
本発明の請求項３は、釣り用浮きケースの内部に中敷きを設け、カバー体は磁石で中敷きに吸着することを要旨とするものである。
本発明の請求項４は、カバー体は磁石でケースに吸着することを要旨とするものである。
【発明の効果】
【０００６】
本発明により、カバー体を着脱して浮きを傷付けずに出し入れすることができ、カバー体で浮きを覆ったときに釣り用浮きケースに保持され、カバー体が動いてしまうことが防止されるため、浮きの脱落が防止される。
【発明を実施するための最良の形態】
【０００７】
釣り用浮きケースＡは、蝶番２で見開き状に開閉できる一対のケース１、１を有し、ケース１、１内には中敷き６が敷設されている。
中敷き６は、その上面側に浮きＵを収納する凹状の浮き収納部６ａと凸状の仕切部６ｂが形成されている。
ケース１、１内には、収納した浮きＵの上部を覆うカバー体８が取り付けられ、このカバー体８の下面側には磁石（磁性体）が取り付けられている。
ケース１、１の中敷き６の裏側には金属製の棒材（磁性体）が設けられ、カバー体８をケース１、１内に収納して浮きを覆うように取り付けたとき、このカバー体８の磁石（磁性体）とケース１、１内に取り付けた鉄等の金属製の棒材（磁性体）が互いに吸着しすることでカバー体８が中敷き６の上方に吸着した状態に保持され、浮きＵの脱落が防止される。
【実施例１】
【０００８】
以下、図示の実施例によって本発明を説明すると、図１から図３は第１実施例で、図１は釣り用浮きケースを開いた正面図、図２は浮きを収納した状態の釣り用浮きケースを開いた正面図、図３は釣り用浮きケースの拡大断面図である。
【０００９】
釣り用浮きケースＡは、図１、図２のように、蝶番２で見開き状に開閉できる一対のケース１、１を有し、一対のケース１、１は、その内側同志を合掌状に閉じたときに互いに係合して閉塞状態を維持し、又は解除する係止具３と係合具４を有しており、係止具３の係止穴３ａに係合具４の係合突起４ａが係合可能で、係止具３にはその係合を解除する操作体３ｄが設けられている。
【００１０】
ケース１、１は、それぞれ内側に凹部１ａが形成されており、凹部１ａには、中敷き６が収納され、凹部１ａの底部に敷設されて接着等で固定されている。
ケース１、１の内側の凹部１ａの長手方向の両端部には、浮きＵの下端が当接又は差し込まれる発泡合成樹脂の受け部５が設けられている。
中敷き６は、その上面側の長手方向の中央側に浮きＵを収納するために凹状に形成された浮き収納部６ａとこの浮き収納部６ａの間を仕切るため凸状に形成された仕切部６ｂが中敷き６の長手方向に延びるように形成され、これら複数の浮き収納部６ａと仕切部６ｂがケース１の長手方向を横切る方向に交互に並設されている。
中敷き６は、合成樹脂のシートを折曲変形させて形成し、その裏面側は、凹状の浮き収納部６ａに対応して突部６ｃが形成され、凸状に形成された仕切部６ｂに対応して窪み部６ｄが形成されている。
【００１１】
図１、図２のようにケース１、１内には、それぞれ中敷き６の上部および浮き収納部６ａに収納した浮きＵの上部を覆う着脱可能なカバー体８が取り付けられている。
カバー体８は、板状に形成され、ケース１の凹部１ａの開口に、凹部１ａを横切るように設けられる。
カバー体８は、上面側の発泡合成樹脂の基体８ａと下面側の磁性体８ｂで形成され、この磁性体８ｂは磁石を用いている。
この磁石はネオジウム磁石等の一般の磁石を用いても良いが、合成樹脂から成る折り曲げ可能な磁石を用いることもできる。
【００１２】
一方、図３のように、ケース１、１内のそれぞれ中敷き６の下面側に設けられた窪み部６ｄには、窪み部６ｄまたは仕切部６ｂの長手方向に沿って上記カバー体８の磁性体８ｂ（磁石）と互いに吸着する磁性体９が設けられている。
磁性体９は、鉄等の金属製の棒材から成り、中敷き６とケース１の凹部１ａの底部に狭持されて取り付けられている。
なお、釣り用浮きケースＡにおけるカバー体８の保持手段として、磁性体８ｂに強磁性体の磁石を用いて磁性体９に磁性体の金属を用いたが、磁性体８ｂに磁性体の金属を用いて磁性体９に磁石を用いてもよい。
【００１３】
釣り用浮きケースＡに浮きＵを収納するときは、ケース１、１を開いて凹状に形成された浮き収納部６ａに浮きＵをその下端部を受け部５に当接させ収納し、ケース１、１内に収納した浮きＵの上部を覆うようにカバー体８を取り付ける。
この時、磁性体８ｂを有するカバー体８は、磁性体９に中敷き６を介して引き寄せられ、中敷き６に吸着して保持される。
カバー体８は、中敷き６の仕切部６ｂの上部に当接して、浮き収納部６ａと浮きＵの上側を覆い浮きＵの脱落を防止する。
【００１４】
釣り用浮きケースＡから浮きＵを取り出すときは、ケース１、１を開くが、カバー体８が中敷き６に吸着して保持されているため不用意にカバー体８が動くことが無く浮きＵが脱落することが防止される。
そして、磁性体８ｂを有するカバー体８の磁性体９による中敷き６への吸着力に抗してカバー体８を浮き収納部６ａ上から取り除いて浮きＵを取り出す。
この時、カバー体８は、引き上げるだけで取り除けるため浮きＵを傷付けることが防止される。係合を解除するための例えばレバー操作等を要せず１回の動作で行えるため手元が揺れて浮きＵを落とす虞が小さく、係合部材等を用いるより簡易な構成とすることができる。
なお、カバー体８は、釣り用浮きケースＡに着脱自在に形成されるが、紛失を防止するため一部を紐等の連結具でケース１に止着しておいてもよい。
【実施例２】
【００１５】
図４は第２実施例で、図４は釣り用浮きケースの拡大断面図である。
【００１６】
第２実施例では、鉄等の金属製の棒材から成る磁性体９を有しないが、中敷き６が鉄等で形成された磁性体であり、カバー体８の磁性体８ｂ（磁石）と互いに吸着するようになっている。
このように中敷き６が磁性体で形成されているとカバー体８と直接当接するため両者の吸着保持が確実になる。
他の構成は前記第１実施例と略同一である。
【実施例３】
【００１７】
図５は第３実施例で、図５は釣り用浮きケースの拡大断面図である。
【００１８】
第３実施例では、カバー体８は、基体８ｃとこの基体８ｃの両側に設けた磁性体８ｄから成り、磁性体８ｄは、磁石を用いている。
一方、ケース１、１の凹部１ａの開口の内側に金属から成る磁性体１ｂが設けられている。
さらに、中敷き６の上面側において、カバー体８をケース１内に取り付けたときの磁性体８ｄの対応位置に、金属製の棒材からなる磁性体６ｅが取り付けられており、カバー体８をケース１内に取り付けてケース１、１内の中敷き６の浮き収納部６ａに収納した浮きＵの上部を覆ったときに、磁石から成る磁性体８ｄは、ケース１の磁性体１ｂに吸着して保持され、また、磁性体８ｄは、中敷き６の磁性体６ｅにも吸着して保持される。
このように磁性体をケース１や中敷き６の上面側に設けても良い。
他の構成は前記第１実施例と略同一である。
【００１９】
このように、カバー体８がケース１の磁性体１ｂまたは中敷き６の上面側に設けた磁性体６ｅに吸着して保持されるようにしても、カバー体８を着脱して浮きＵを傷付けずに取り出すことができ、浮きＵを覆ったときに釣り用浮きケースＡに保持され、カバー体８が動いてしまうことが防止され、磁性体同志が直接当接して吸着するため確実に保持され、容易に外れない。
【００２０】
なお、実施例１から３は、蝶番２で見開き状に開閉できる一対のケース１、１を有する釣り用浮きケースＡとしたが、一方をケース１として他方を浮きを収納しないケース１の蓋体としてもよい。
【産業上の利用可能性】
【００２１】
本発明は釣り用浮きケースに利用できる。
【図面の簡単な説明】
【００２２】
【図１】第１実施例で、釣り用浮きケースを開いた正面図である。
【図２】同浮きを収納した状態の釣り用浮きケースを開いた正面図である。
【図３】同釣り用浮きケースの拡大断面図である。
【図４】第２実施例で、釣り用浮きケースの拡大断面図である。
【図５】第３実施例で、釣り用浮きケースの拡大断面図である。
【符号の説明】
【００２３】
Ａ  釣り用浮きケース
Ｕ  浮き
１  ケース
６  中敷き
６ａ  浮き収納部
６ｂ  仕切部
１ｂ、６ｅ、７  磁性体
８  カバー体
８ｂ、８ｄ  磁石
【図１】
2005333811.tif 000003
【図２】
2005333811.tif 000004
【図３】
2005333811.tif 000005
【図４】
2005333811.tif 000006
【図５】
2005333811.tif 000007